(57)【要約】【課題】１Ｕラックマウントサーバでは、ＩＤＥケーブルのマスタコネクタとスレーブコネクタ間をＩＤＥ規格通りの１５０ｍｍ以内に納めることが困難であり、規格外のケーブル使用や、プラッタボードを用いる場合があった。【解決手段】ハードディスクのコネクタ部分同士を背中合わせに実装することで、ＩＤＥ規格に準拠したケーブルでの接続を容易にさせるだけでなく、ハードディスク交換の作業性を向上させる。さらに、装置の天板が部分的に着脱出来る構造を付加することで、ハードディスクの交換作業の向上する。【選択図】  図２
2004302714.tif 000002
【特許請求の範囲】
【請求項１】
少なくとも２つのハードディスクドライブと該ハードディスクドライブをマスタ／スレーブ接続するケーブルを有する情報処理装置において、前記ハードディスクドライブのコネクタ部が対向する向きであって、該ドライブの一方と他方のドライブは設置面が異なる２つのハードディスクドライブを備えたことを特徴とする情報処理装置。
【請求項２】
前記ハードディスクドライブの一方は、装置の前方部に配置され、他方は、装置の後方部に配置されるとともに、装置の上方部への着脱機構を備えたことを特徴とする請求項１記載の情報処理装置。
【発明の詳細な説明】
【０００１】
【発明の属する技術分野】
本発明は、１Ｕサーバ等の薄型の情報処理装置（例えば、サーバ）におけるハードディスクの取り付け構造に関する。
【０００２】
【従来の技術】
１Ｕサーバ等の薄型の情報処理装置においてハードディスクの実装は装置前面もしくは、背面からの引き出し式が主な形態である。このようなサーバでＩＤＥハードディスクを使用している場合には、薄型化のため、図３のように横並びにハードディスクを配置することが多い（例えば、特許文献１を参照）。
【０００３】
また、複数のハードディスクを搭載するために、奥行き方向にもハードディスクを配置することがあった（例えば、特許文献１、特許文献２を参照）。奥行き方向にハードディクを配置した場合には、奥側のハードディスクの増設や交換をおこなう場合は、周囲のハードディスクが邪魔になり作業性が悪かった。
【０００４】
このため、ハードディスクを着脱自在にするトレイを設け、さらにこのトレイの一端の回転支持することで、上方部にハードディスクを着脱する技術が開示されている（特許文献２）。また、手前側のハードディスクを下方に移動可能な可動部に取り付け、奥側のハードディスクの端面を露出するようにする開示されている（特許文献１）。
【０００５】
【特許文献１】
特開２００３−３６６６９号公報
【特許文献２】
特開特開２００２−３４３０７５公報
【０００６】
【発明が解決しようとする課題】
１Ｕサーバ等の薄型の情報処理装置においてハードディスクの実装は装置前面もしくは、背面からの引き出し式が主な設置形態となっている。ＩＤＥハードディスクを使用している場合、図３のように横並びに実装すると、マザーボードとハードディスクを接続するＩＤＥケーブルのマスタコネクタとスレーブコネクタ間をＩＤＥ規格通りの１５０ｍｍ以内に納めることが困難であった。
【０００７】
このため、規格外のケーブル長で接続したり、プラッタボードを用いる場合が多かった。プラッタボードを使用する場合には、ボード開発が必要になるばかりでなく、原価アップの原因となってしまっていた。また、上記の従来技術においては、コネクタ間のケーブル長については、考慮されていなかった。
【０００８】
本発明の目的は、上記問題を鑑み、マスタコネクタとスレーブコネクタ間のケーブル長規格を満足するとともに、保守作業性のよいハードディスクの設置位置を備えた情報処理装置を提供することにある。
【０００９】
【課題を解決するための手段】
上記目的を達成するために、本発明では、マスタ／スレーブの関係で接続するハードディクドライブを、該ドライブのコネクタ部同士が対向するように、ハードディスクを背中合わせに設置し、かつ、ドライブの表裏が異なるよう設置した。これにより、ケーブルの折り曲げが不要となり、ＩＤＥ規格に準拠したケーブルでの接続が可能となる。
【００１０】
また、情報処理装置の天板が部分的に着脱出来る構造を付加することや、情報処理装置の奥側に配置したハードディクを着脱自在にするトレイに収納し、このトレイにケーブルを接続し、さらにこのトレイの一端の回転支持することで、上方部にハードディスクを着脱するようにした。
【００１１】
【発明の実施の形態】
以下、図面を参照し、本発明の実施形態例に基づいて本発明を更に詳細に説明する。
図１は、本発明を適用した１Ｕサイズのラックマウントサーバの外観を示している。ラックマウントサーバでは、装置高さの薄くするため、４台のハードディスクドライブを平面状に配置し、サーバの手前側に２台、その奥側にも２台のドライブを配置している。
【００１２】
図２と図３は、図１に示したラックマウントサーバの装置内部を示したもので、図２は本発明を適用した構成を、図３は従来技術を適用したものを示している。ここで、図３を用いて従来技術を詳細に説明する。図２では、ひとつのケーブルに２台のハードディスクドライブを接続し、それぞれのドライブをマスタ／スレーブ動作で接続している。ケーブルはＩＤＥ規格に準拠することが望ましいが、２台のドライブの設置方向を同じにすると、図示しているようにケーブルの折り曲げが必要となり、ＩＤＥ規格のマスタ／スレーブコネクタ間のケーブル長を１５０ｍｍ以内に納めることができない。
【００１３】
図２では、マスタ／スレーブ動作する２つのハードディスクドライブのコネクタが対向するように配置し、さらにドライブの表裏を変えて配置するようにした。これにより、コネクタ間のケーブル長を１５０ｍｍ以内に納めることができ規格を満足する１Ｕラックマウントサーバを実現することができる。
【００１４】
つぎに図４、図５、図６を使用して、図３の装置後方に配置するハードディスクドライブに、筐体フロントのハードディスクの挿抜に利用しているホットスワップ用キャニスターを採用する例を説明する。図４（ａ）に示すように天板上からキャニスターの挿抜可能なベイを設け、キャニスターを矢印（１）の方向に挿入することでハードディスクへのＩＤＥケーブル及び電源ケーブルの接続を可能とする。その後、ベイを矢印（２）の方向に収納し、図４（ｃ）に示すように、フックを矢印（３）の方向に入れ、筐体と固定する。図４（ｂ）は、キャニスターを筐体に収容する経過を示す図である。
【００１５】
図５に示すようにキャニスターのベイの底面では、マザーボードからのＩＤＥケーブルコネクタ及び電源ケーブルコネクタを固定する。図６は、キャニスター・ベイの内側から見た底面図を示し、ドライブの電源コネクタとＩＤＥインターフェイスコネクタと勘合する。
【００１６】
つぎに図７から図１０を使用して、他のキャニスター構成の例をしめす。本接続方式では図７に示すようなキャニスターを用いる。キャニスターには、筐体固定用フック、ハードディスクをスライドするためのスライド式フックを有す。ハードディスクを矢印▲１▼の方向に挿入し、図８に示すようにキャニスターの底側からネジで固定する。ハードディスク固定後、図９に示すように、スライド式フックを矢印（２）のようにスライドさせることで、キャニスター下部のみが矢印（３）のようにスライド式フックに連動して移動する。
【００１７】
ハードディスク接続方式を図１０に示す。ハードディスクを取り付けたキャニスターを矢印（４）の方向に取り付け、矢印（５）のように筐体固定用フックを外側に入れることで、キャニスターが筐体に固定される。次に、スライド式フックを矢印（６）の方向にスライドすることで、ハードディスクにＩＤＥケーブルコネクタ及び電源ケーブルコネクタが接続する。
【００１８】
【発明の効果】
本願発明によれば、ハードディスクドライブのマスタ／スレーブのコネクタ間のケーブル長規格を満足でき、さらに、ドライブの接続を簡単におこなえるので、保守作業性のよい情報処理装置を提供することができる。
【図面の簡単な説明】
【図１】本発明の適用するラックマウントサーバの概略図である。
【図２】本発明でのＩＤＥハードディスク接続図である。
【図３】従来のＩＤＥハードディスク接続図である。
【図４】キャニスター方式のハードディスク搭載構造を示す図である。
【図５】キャスターのケーブル接続図である。
【図６】キャニスターベイのコネクタ形状図である。
【図７】スライド式ハードディスクキャニスタの概略構造図である。
【図８】スライド式ハードディスクキャニスタへの固定方法を示す図である。
【図９】スライド式ハードディスクキャニスタのスライド構造を示す図である。
【図１０】スライド式ハードディスクキャニスタの搭載方法を示す図である。
【符号の説明】
【図１】
2004302714.tif 000003
【図２】
2004302714.tif 000004
【図３】
2004302714.tif 000005
【図４】
2004302714.tif 000006
【図５】
2004302714.tif 000007
【図６】
2004302714.tif 000008
【図７】
2004302714.tif 000009
【図８】
2004302714.tif 000010
【図９】
2004302714.tif 000011
【図１０】
2004302714.tif 000012